(57)【特許請求の範囲】
【請求項１】
遊技領域が前側に設けられる遊技盤と、該遊技盤に配設され、遊技領域を流下する遊技球が入賞可能な始動入賞装置と、前記遊技盤の裏側に配設される設置部材と、該設置部材に配設され、前記始動入賞装置への遊技球の入賞を契機として図柄を変動表示可能な図柄表示装置とを備える遊技機において、
前記始動入賞装置は、
前記遊技盤に配設され、遊技領域に常に開口して遊技球が通入可能な始動口を設けた始動口飾りと、
前記始動口飾りに設けられ、始動口に通入した遊技球を遊技盤の裏面側へ導く球導入通路と、
前記設置部材に設けた設置部に形成され、該設置部材を遊技盤の裏側に配設した際に、前記球導入通路の球出口に連通する球排出通路と、
前記球排出通路における前記球出口との連通部に近接して配設され、該球排出通路を流通する遊技球を検出する球検出センサとを備える
ことを特徴とする遊技機。
【請求項２】
前記設置部材の設置部に、前記球導入通路を画成する通路壁を支え受ける位置決め受け部が設けられ、該位置決め受け部で通路壁を支え受けた状態で設置部材を遊技盤に配設することで、前記球導入通路の球出口と球排出通路の球入口とが整合するよう構成した請求項１記載の遊技機。
【請求項３】
前記球排出通路は、前方に向けて球入口が開口すると共に後方に延在する水平通路と、該水平通路を画成する底壁に形成した連通口を介して連通して下方に延在する縦通路とからなり、前記連通口の直下に前記球検出センサが配設されると共に、前記連通口より前側の底壁の上面に、連通口に向けて下方傾斜する傾斜案内面が形成された請求項１または２記載の遊技機。
【請求項４】
前記始動口飾りを光透過性材料で形成すると共に、前記遊技盤に始動口飾りが取り付けられる装着口が形成され、前記設置部材の設置部に、前記装着口を介して始動口飾りを後方から照明する発光装置が配設された請求項１〜３の何れか一項に記載の遊技機。
【発明の詳細な説明】
【技術分野】
【０００１】
この発明は、始動口への遊技球の入賞を契機として図柄表示装置による図柄変動演出が行なわれる遊技機に関するものである。
【背景技術】
【０００２】
代表的な遊技機であるパチンコ機は、遊技盤の盤面に画成した遊技領域の略中央位置に枠状装飾体(所謂センター役物)が配設されており、この枠状装飾体の窓口を介して複数の図柄を変動表示して図柄変動演出を行なう液晶式やドラム式等の図柄表示装置の表示部を後方から臨ませると共に、該遊技盤における枠状装飾体の下方位置に、パチンコ球(遊技球)の入賞により図柄表示装置での変動を開始させる始動入賞装置や大当り時等に開放する特別入賞装置を配設するよう構成されたものが多数提案されている(例えば、特許文献１参照)。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置の始動口に入賞することにより、前記図柄表示装置で図柄変動に伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。
【先行技術文献】
【特許文献】
【０００３】
【特許文献１】２００３−３３５０７号公報
【発明の概要】
【発明が解決しようとする課題】
【０００４】
前記始動入賞装置は、遊技領域に開口する始動口を画成する始動口飾りと、該始動口に入賞したパチンコ球を後方に案内する球通路と、該球通路に設けられて始動口に入賞したパチンコ球を検出する球検出センサとが装置本体に設けられてユニット化されている。このようにユニット化された始動入賞装置では、球通路や球検出センサが設けられた装置本体の後部を、遊技盤に設けた装着口に前側から挿入して始動口飾りを遊技盤の前面にネジ止め固定することで、始動口飾りを遊技盤の前側(遊技領域)に位置させる一方、装置本体の後部を遊技盤の後側に位置させた状態で遊技盤に組み付けられる。このように、始動入賞装置を遊技盤に組み付ける際には、球検出センサが設けられる装置本体の後部を装着口に前側から挿入しなければならず、球検出センサから導出する配線が遊技盤との間に挟み込まれないように作業する必要があり、組み付け作業が煩雑となる問題があった。
【０００５】
そこで本発明は、従来の技術に内在する前記問題に鑑み、これらを好適に解決するべく提案されたものであって、始動入賞装置の組み付け作業の容易化を図り得る遊技機を提供することを目的とする。
【課題を解決するための手段】
【０００６】
前記課題を解決し、所期の目的を達成するため、本発明の請求項１に係る発明は、
遊技領域(33)が前側に設けられる遊技盤(12)と、該遊技盤(12)に配設され、遊技領域(33)を流下する遊技球が入賞可能な始動入賞装置(44)と、前記遊技盤(12)の裏側に配設される設置部材(14)と、該設置部材(14)に配設され、前記始動入賞装置(44)への遊技球の入賞を契機として図柄を変動表示可能な図柄表示装置(15)とを備える遊技機において、
前記始動入賞装置(44)は、
前記遊技盤(12)に配設され、遊技領域(33)に常に開口して遊技球が通入可能な始動口(45a)を設けた始動口飾り(45)と、
前記始動口飾り(45)に設けられ、始動口(45a)に通入した遊技球を遊技盤(12)の裏面側へ導く球導入通路(54)と、
前記設置部材(14)に設けた設置部(51)に形成され、該設置部材(14)を遊技盤(12)の裏側に配設した際に、前記球導入通路(54)の球出口(54a)に連通する球排出通路(52)と、
前記球排出通路(52)における前記球出口(54a)との連通部に近接して配設され、該球排出通路(52)を流通する遊技球を検出する球検出センサ(53)とを備えることを要旨とする。
請求項１に係る発明では、始動口飾りを遊技盤に配設する一方で、始動口に入賞した遊技球を検出する球検出センサを設置部材に配設したので、遊技盤の前側に配設される始動口飾りについて、球検出センサから導出する配線が遊技盤との間に挟み込まれるのを注意することなく組み付け作業を容易に行ない得る。
【０００７】
請求項２に係る発明は、前記設置部材(14)の設置部(51)に、前記球導入通路(54)を画成する通路壁(45d)を支え受ける位置決め受け部(56a)が設けられ、該位置決め受け部(56a)で通路壁(45d)を支え受けた状態で設置部材(14)を遊技盤(12)に配設することで、前記球導入通路(54)の球出口(54a)と球排出通路(52)の球入口(52a)とが整合するよう構成したことを要旨とする。
請求項２に係る発明では、球導入通路および球排出通路とを別部材に形成しても、両通路を整合することができ、球導入通路からの遊技球を球排出通路へ円滑に通入させて遊技球を確実に排出処理し得る。
【０００８】
請求項３に係る発明は、前記球排出通路(52)は、前方に向けて球入口(52a)が開口すると共に後方に延在する水平通路(52c)と、該水平通路(52c)を画成する底壁(58)に形成した連通口(52b)を介して連通して下方に延在する縦通路(52d)とからなり、前記連通口(52b)の直下に前記球検出センサ(53)が配設されると共に、前記連通口(52b)より前側の底壁(58)の上面に、連通口(52b)に向けて下方傾斜する傾斜案内面(58a)が形成されたことを要旨とする。
請求項３に係る発明によれば、球導入通路から通出された遊技球を速やかに球検出センサに案内して検出させることができ、遊技球が始動口に入賞してから球検出センサで検出されるまでの時間が長くなることで生ずる不都合の発生を抑制し得る。
【０００９】
請求項４に係る発明は、前記始動口飾り(45)を光透過性材料で形成すると共に、前記遊技盤(12)に始動口飾り(45)が取り付けられる装着口(37b)が形成され、前記設置部材(14)の設置部(51)に、前記装着口(37b)を介して始動口飾り(45)を後方から照明する発光装置(60)が配設されたことを要旨とする。
請求項４に係る発明では、始動口飾りを遊技盤に組み付ける際の配線処理を不要として組み付け作業を容易化したもとで、該始動口飾りを照明して演出効果を向上することができる。
【発明の効果】
【００１０】
本発明に係る遊技機によれば、始動入賞装置の遊技盤に対する組み付け作業を容易化し得る。
【図面の簡単な説明】
【００１１】
【図１】実施例に係るパチンコ機の正面図である。
【図２】実施例に係るパチンコ機を、中枠から遊技盤および前枠を外した状態で示す正面図である。
【図３】実施例に係る中枠の背面図である。
【図４】実施例に係る遊技盤を示す正面図である。
【図５】実施例に係る遊技盤を、各種入賞装置を取り外した状態で示す正面図である。
【図６】実施例に係る設置部材を前側から見た状態で示す斜視図である。
【図７】図４のＡ−Ａ線断面図である。
【図８】図４のＢ−Ｂ線断面図である。
【図９】実施例に係る第１始動球検出センサおよび検出センサユニットが配設されたケース体を示す正面図である。
【図１０】図９のＣ−Ｃ線断面図である。
【図１１】実施例に係る設置部材から取り外したケース体を前側から見た状態で示す分解斜視図である。
【図１２】実施例に係るケース体を後側から見た状態で示す分解斜視図である。
【図１３】実施例に係る遊技盤における特別入賞装置および第２普通入賞装置の配設部位を示す要部背面図である。
【図１４】実施例に係る設置部材における第２球通路部材の配設部位を前側から見た状態で示す要部斜視図である
【図１５】実施例に係る第２普通入賞装置と第２球通路部材との関係を示す遊技盤の要部断面図である。
【図１６】実施例に係る特別入賞装置と第２球通路部材との関係を示す遊技盤の要部断面図である。
【図１７】実施例に係る第２球通路部材の背面図である。
【図１８】実施例に係るパチンコ機の制御構成を示すブロック図である。
【図１９】(ａ)は球検出センサを示す概略図であり、(ｂ)は非検出時、球通過時および不正電波行為時における球検出センサの出力信号を示す図である。
【図２０】実施例に係る検出センサユニットの回路構成を示すブロック図である。
【図２１】(ａ)は発振検出状態での検出センサユニット内の信号の流れを示すブロック図であり、(ｂ)は発振非検出状態での検出センサユニット内の信号の流れを示すブロック図である。
【図２２】正常時および不正行為時において主制御装置に入力される信号波形を示す図である。
【図２３】不正電波行為時での検出センサユニット内の信号の流れを示すブロック図である。
【図２４】検出範囲を示す図である。
【図２５】不正電波行為時および不正磁気行為時における各装置での報知方法を示す図である。
【図２６】変更例に係るパチンコ機の制御構成を示すブロック図である。
【発明を実施するための形態】
【００１２】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、図１に示すようにパチンコ機１０を前側(遊技者側)から見た状態で指称する。
【実施例】
【００１３】
実施例に係るパチンコ機１０は、図１に示すように、矩形枠状に形成されて遊技店の図示しない設置枠台に縦向きに設置される固定枠としての矩形枠状の外枠１１の開口前面側に、後述する遊技盤１２を着脱可能に保持する本体枠としての中枠１３が開閉および着脱可能に組み付けられると共に、遊技盤１２の裏側に配設された設置部材１４に対して、各種図柄を変動表示可能な図柄表示装置１５が着脱自在に取り付けられるよう構成される。また、前記中枠１３の前面側には、前記遊技盤１２を透視保護するガラス板等の透視保護板(図示せず)を備えた装飾枠としての前枠１６が開閉可能に組み付けられると共に、該前枠１６の下方にパチンコ球を貯留する下球受け皿１７が開閉可能に組み付けられる。前記前枠１６の上部には、フルカラーＬＥＤ等の発光体を実装した発光体基板(何れも図示せず)を備えたランプ装置(報知手段)１８,１８が左右に２つ配設されている。前記ランプ装置１８は、後述する統括制御装置１９に電気的に接続され、該統括制御装置１９の制御に基づいて発光体が点灯・点滅したり、発光色を変更させたりするようになっている。なお、前記ランプ装置１８の前側は、光透過性のランプカバー１８ａで被覆してある。また、前記前枠１６の下部位置に、パチンコ球を貯留する上球受け皿２０が一体的に組み付けられており、前枠１６の開閉に合わせて上球受け皿２０も一体的に開閉するよう構成される。なお、実施例では、前記図柄表示装置１５としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。また、前記上球受け皿２０は、前記前枠１６と別体に形成してもよい。
【００１４】
前記中枠１３は、図２に示すように、上下左右の縁部をなす枠部材１３ａ〜１３ｄにより、全体が前記外枠１１の開口に整合する矩形枠状に形成される。そして、中枠１３の前後に開口する開口縁部が、前記遊技盤１２を設置する遊技盤保持部２１として機能するよう構成されている。下枠部材１３ｂの前側には、スピーカ(報知手段)２２や打球発射装置２３が設置されると共に、遊技者により回動操作されて打球発射装置２３を作動させる操作ハンドル２４が設けられている。ここで、前記操作ハンドル２４の回動量に応じて前記打球発射装置２３によるパチンコ球の打球力が強弱変化するよう構成されており、遊技者が操作ハンドル２４を操作して回動量を調節することで、前記遊技盤１２に形成された第１経路３３ａ(後述)をパチンコ球が流下する所謂「左打ち」と、該遊技盤１２に形成された第２経路３３ｂ(後述)をパチンコ球が流下する所謂「右打ち(ゴム打ち)」とを打ち分け得るようになっている。
【００１５】
図３に示すように、前記上枠部材１３ａの後側には、設置枠台等に設けられた外部球供給設備から供給されるパチンコ球を貯留する球タンク２５が、該上枠部材１３ａの左右幅の略全幅に亘って設けられている。また、下枠部材１３ｂの後側には、前記上下の球受け皿２０,１７に連通する球供給路や設置枠台に設けた球回収樋(何れも図示せず)に連通する球排出路が夫々形成されたセット部材２６が配設されている。前記球タンク２５とセット部材２６とは、各部材２５,２６における左枠部材１３ｃ側の端部間に架設された球通路ユニット２７を介して連通接続されており、該球通路ユニット２７に配設された球払出装置２８の駆動により球タンク２５に供給されたパチンコ球を前記上下の球受け皿２０,１７へ給出するよう構成されている。また、セット部材２６には、前記球払出装置２８を駆動制御する払出制御装置２９、前記打球発射装置２３を駆動制御する発射制御装置３０等が配設されている。前記払出制御装置２９は、前記パチンコ機１０の後側に配設される主制御装置(制御手段)３１に電気的に接続されており、該主制御装置３１から入力される制御信号に基づいて、払出制御装置２９が球払出装置２８を制御するようになっている(図１８参照)。
【００１６】
〔遊技盤１２について〕
図４に示すように、前記遊技盤１２は、アクリルやポリカーボネート等の光透過性の合成樹脂材やベニア等の木板から前記中枠１３の遊技盤保持部２１に整合する略矩形平板状に形成され、該遊技盤１２の前面(盤面)に配設された略円形状に湾曲形成された案内レール３２により、パチンコ球が流下可能な遊技領域３３が画成されている。また、遊技盤１２の裏面に、前記図柄表示装置１５が取り付けられた前記設置部材１４が配設されている。
【００１７】
ここで、前記案内レール３２は、図４に示す如く、遊技盤１２の左下部から右上部に至るよう左方向に膨出する円弧状に形成された外レール３４と、該外レール３４の内側に配置されて、遊技盤１２の右上部、右下部および左上部に至るよう右方向に膨出する円弧状に形成された内レール３５,３６とから構成されている。前記内レール３５,３６は、遊技盤１２の右上部から下部に亘って配設され、左端縁が右方に凹む円弧状に形成された盤面飾り部材３５と、遊技盤１２の下部から左上部に亘って配設されて盤面飾り部材３５の下端部に連接し、前記外レール３４の右方に離間して位置するレール部材３６とから構成され、該外レール３４およびレール部材３６により１個のパチンコ球が通過可能な発射通路３２ａが画成されている。ここで、前記内レールを構成するレール部材３６は、図４に示す如く、前記遊技盤１２の左上部に開放端を臨ませるよう構成されて、前記打球発射装置２３から発射されたパチンコ球が発射通路３２ａの下方開口から飛翔して、レール部材３６の開放端側から遊技領域３３内に打ち出されるようになっている。
【００１８】
前記遊技盤１２には、前後に貫通する装着口３７ａ,３７ｂ,３７ｃ,３７ｄ,３７ｅ,３７ｆ,３７ｇが前記遊技領域３３内に複数開設されて(図５参照)、各装着口３７ａ,３７ｂ,３７ｃ,３７ｄ,３７ｅ,３７ｆ,３７ｇに対して各種部品が前側から取り付けられると共に、遊技領域３３の最下部位置には、該遊技領域３３に打ち出されたパチンコ球を排出するアウト口３９が開設されている。また遊技盤１２には、図４に示す如く、前記遊技領域３３内に多数の遊技釘４０が植設されており、遊技領域３３を流下するパチンコ球が遊技釘４０に接触することでパチンコ球の流下方向を不規則に変化させると共に減勢するようになっている。なお、前記装着口の形成数は、遊技盤１２に対して取り付けられる各種部品の個数や配設位置等により必要に応じて適宜決定される。
【００１９】
〔枠状装飾体４１について〕
実施例の前記遊技盤１２には、前記案内レール３２で囲まれた前記遊技領域３３の略中央の大部分が開口する第１装着口３７ａに、前後に開口する窓口(開口部)４１ａが形成された枠状装飾体４１が取り付けられ、該枠状装飾体４１の窓口４１ａを介して図柄表示装置１５の表示部１５ａが遊技盤１２の前面側に臨むよう構成される。枠状装飾体４１は、前記第１装着口３７ａに沿って延在する環状に形成された薄板状の固定板４１ｂと、該固定板４１ｂの開口内周に沿って後方へ突出する内周壁部(図示せず)と、該固定板４１ｂの開口内周に沿って設けられて、遊技盤１２の前面より前方へ突出する庇部４１ｃとを備える。そして、枠状装飾体４１は、第１装着口３７ａ内に内周壁部を挿入した状態で、遊技盤１２に固定板４１ｂが前側からネジ止めされている。前記固定板４１ｂ、内周壁部および庇部４１ｃの夫々は一体に樹脂形成する構成であっても、別部材として形成する構成であってもよい。
【００２０】
前記枠状装飾体４１の庇部４１ｃは、枠状装飾体４１(固定板４１ｂ)の左側縁の中間位置から上縁および右下縁に亘って連続して延在するよう設けられており、前記図柄表示装置１５における表示部１５ａの前面側を横切ってパチンコ球が流下(落下)するのを規制している。また庇部４１ｃは、最上部位置から左右方向に下方傾斜するよう形成されて、遊技領域３３に打ち出されたパチンコ球が庇部４１ｃ上で滞ることなく枠状装飾体４１の左側方または右側方へ誘導案内されるよう形成されている。すなわち、前記遊技盤１２に画成された遊技領域３３には、枠状装飾体４１の左側方をパチンコ球が流下する第１経路３３ａ、および枠状装飾体４１の右側方をパチンコ球が流下する第２経路３３ｂが設けられており、前記打球発射装置２３により遊技領域３３内に発射されたパチンコ球は、到達位置に応じて枠状装飾体４１およびレール部材３６(内レール)の間に形成される第１経路３３ａか、或いは枠状装飾体４１および盤面飾り部材３５(内レール)の間に形成される第２経路３３ｂの何れかを流下するよう構成される。
【００２１】
前記枠状装飾体４１には、図４に示す如く、窓口４１ａの下側(枠状装飾体４１の内周下縁部)に、ステージ４２が配設されると共に、窓口４１ａの左側に、前記第１経路３３ａ(遊技領域３３)に開口して該第１経路３３ａを流下するパチンコ球を取り込む球導入部４３が設けられ、該球導入部４３がステージ４２に連通するよう構成される。そして、球導入部４３からステージ４２に通出されたパチンコ球は、ステージ４２上を左右に転動した後に、後述する各入賞装置４４,４６,４７,４９が配設されている遊技領域３３に排出される。
【００２２】
前記遊技盤１２における前記第１装着口３７ａ(枠状装飾体４１)の下方に開設された第２装着口(装着口)３７ｂに、遊技領域３３(第１経路３３ａおよび第２経路３３ｂ)を流下するパチンコ球が入賞可能な後述する第１始動入賞装置４４を構成する始動口飾り４５が取り付けられている。また、第２装着口３７ｂの右方に開設された第３装着口３７ｃに、第２経路３３ｂを流下するパチンコ球が入賞可能な第２始動入賞装置４６が配設されると共に、該第３装着口３７ｃの上方に開設された第４装着口３７ｄに、第２経路３３ｂを流下するパチンコ球が入賞可能な特別入賞装置４７が取り付けられている。更に、第４装着口３７ｄの上方に開設された第５装着口３７ｅに、第２経路３３ｂを流下するパチンコ球が通過可能な球通過ゲート４８が取り付けられている。更にまた、第２装着口３７ｂの左方に開設された第６装着口３７ｆに、第１経路３３ａを流下するパチンコ球が入賞可能な第１普通入賞装置４９が取り付けられると共に、前記第５装着口３７ｅの右上方に開設された第７装着口３７ｇに、第２経路３３ｂを流下するパチンコ球が入賞可能な第２普通入賞装置５０が取り付けられている(図４参照)。
【００２３】
〔第１始動入賞装置４４について〕
前記遊技盤１２に配設される第１始動入賞装置(始動入賞装置)４４は、図７に示す如く、遊技領域３３に常に開放して該遊技領域３３を流下するパチンコ球が入賞可能な第１始動口(始動口)４５ａを備えた前記始動口飾り４５と、遊技盤１２の裏側に配設された設置部材１４に取り付けられ、該始動口飾り４５から裏側に通出されたパチンコ球を機外に排出する球排出通路５２が形成されたケース体(設置部)５１と、該ケース体５１に配設されて球排出通路５２を流通するパチンコ球を検出する第１始動球検出センサ(球検出センサ)５３とを備える。第１始動球検出センサ５３は、パチンコ機１０の裏側に配設された主制御装置３１に図示しない中継基板を介して電気的に接続されている(図１８参照)。
【００２４】
前記始動口飾り４５は、前記第２装着口３７ｂを前側から覆い得る寸法および形状に形成された光透過性の装飾板体４５ｂと、該装飾板体４５ｂの前面から前側に突出する光透過性の始動口形成部４５ｃと、該始動口形成部４５ｃによって形成される前記第１始動口４５ａとを備える。そして、始動口飾り４５は、装飾板体４５ｂの後端面を遊技盤１２の前面に当接してネジ止め固定することで、装飾板体４５ｂで第２装着口３７ｂを前側から覆うと共に、第１始動口４５ａが遊技領域３３において上方に開口するようになっている。また始動口飾り４５には、図７に示す如く、第１始動口４５ａに連通する球導入通路５４を画成する樋状の通路壁４５ｄが、第２装着口３７ｂ内を遊技盤１２の裏面まで延出するように設けられ、遊技領域３３から第１始動口４５ａに入賞したパチンコ球は、球導入通路５４を通って前記球排出通路５２に通入するよう構成される。なお、第２装着口３７ｂの開口寸法は、始動口飾り４５の通路壁４５ｄに比べて大きく設定されており、始動口飾り４５を遊技盤１２に取り付けた状態で通路壁４５ｄの下側で装飾板体４５ｂおよび始動口形成部４５ｃの後方に、後述する発光装置６０を前記ケース体５１に配設するための設置収容部５６ｂ(後述)を収容可能な空間(第２装着口３７ｂの一部)が確保されるようになっている。また、装飾板体４５ｂおよび始動口形成部４５ｃには光拡散加工が施されて、該装飾板体４５ｂおよび始動口形成部４５ｃを介して裏側が視認し難くしてある。
【００２５】
〔ケース体５１について〕
前記ケース体５１は、図１１,図１２に示す如く、前方に開口するベース体５５の前側に、該ベース体５５の前方開口を覆うように透明なカバー体５６が組み付けられて構成され、該ベース体５５とカバー体５６との間に画成された空間に、前記第１始動球検出センサ５３および後述する検出センサユニット８５および検出用金属球８６を収納するように配設して、ユニットとして取り扱い得るようになっている。ケース体５１は、ベース体５５が前記設置部材１４の後述するケース設置部７２に着脱自在に取り付けられ、設置部材１４を遊技盤１２に取り付けた状態では、ケース体５１に画成した球排出通路５２の後述する球入口５２ａが、前記始動口飾り４５に形成した前記球導入通路５４の球出口５４ａに連通するよう構成される(図７参照)。
【００２６】
前記ベース体５５の左右方向の略中央には、図１２に示す如く、該ベース体５５の後壁を、その前面がベース体５５の前端と略同一位置となるまで前側に向けて凹設した凹部５５ａが上下方向に延在するよう設けられる。またベース体５５の裏面に、凹部５５ａの後方開口を塞ぐように蓋部材５７が着脱自在に取り付けられ、該凹部５５ａおよび蓋部材５７により球排出通路５２が画成される(図７参照)。凹部５５ａを構成する前壁５５ｂの上部は矩形状に切欠かれて前後に貫通し、該貫通部分が球排出通路５２の球入口５２ａとして機能するようになっている(図１１参照)。また、前壁５５ｂにおける球入口５２ａの下縁を画成する部分には、後方に所定長さで延在する底壁５８が形成され、該底壁５８の後端と前記蓋部材５７との間に、上下方向に連通する連通口５２ｂが形成されている。すなわち、球排出通路５２は、図７に示す如く、前方に向けて球入口５２ａが開口すると共に後方に延在する水平通路５２ｃと、該水平通路５２ｃを画成する底壁５８に形成した連通口５２ｂを介して連通して下方に延在する縦通路５２ｄとから構成される。
【００２７】
前記蓋部材５７に第１始動球検出センサ５３が着脱自在に配設されており、該蓋部材５７をベース体５５に取り付けることで、第１始動球検出センサ５３は、前記球排出通路５２における連通口５２ｂの直下(球出口５４ａと球入口５２ａとの連通部に近接する位置)において、パチンコ球が通過可能な検出口５３ａを上下方向に開口した水平姿勢で位置するよう構成される。なお、第１始動球検出センサ５３は、図示しないが、該球検出センサ５３の後端に接続する配線が前記設置部材１４の裏側に引き出され、該設置部材１４の裏側に配設した中継基板に接続してある。
【００２８】
前記連通口５２ｂより前側の底壁５８の上面に、連通口５２ｂに向けて下方傾斜する傾斜案内面５８ａが形成され、前記球入口５２ａから水平通路５２ｃに通入したパチンコ球を、該傾斜案内面５８ａで連通口５２ｂ、すなわち第１始動球検出センサ５３の検出口５３ａにスムーズに案内し得るよう構成される。また水平通路５２ｃを画成する上壁および後壁に、図７に示す如く、前側に臨む面が上方から下方に向かうにつれて後方に変位する案内突条５９が突設され、該案内突条５９によってもパチンコ球の検出口５３ａへのスムーズな案内を行ない得るようになっている。
【００２９】
なお、前記縦通路５２ｄを画成する前壁５５ｂは、図７に示す如く、上側から下側に向かうにつれて後方に傾斜するように延在する後方傾斜部分と、垂直に延在する垂直部分および上側から下側に向かうにつれて前方に傾斜するように延在する前方傾斜部分とが連設するように形成されている。また、前記蓋部材５７における縦通路５２ｄに対応する位置で、前壁５５ｂにおける後方傾斜部分および前方傾斜部分と対向する部位に突条５７ａが上下方向に延在するように夫々設けられ、前壁５５ｂと突条５７ａとによって、パチンコ球が流通する縦通路５２ｄが前後方向に屈曲するよう構成されて、該縦通路５２ｄを流通するパチンコ球を減勢し得るよう構成される。更に、縦通路５２ｄを画成する左右の壁に、前後方向に延在する突片５５ｅが上下に離間して突設され、該突片５５ｅによっても縦通路５２ｄを流通するパチンコ球を減勢し得るようになっている。
【００３０】
前記カバー体５６には、図９に示す如く、前記ベース体５５に形成した球入口５２ａの前側に、該球入口５２ａを前方に開放するよう壁を略Ｕ字状に切欠くことで位置決め受け部５６ａが形成されており、前記球導入通路５４を画成する通路壁４５ｄの後端部が、該位置決め受け部５６ａで支え受けられるよう構成される。そして、位置決め受け部５６ａで通路壁４５ｄを支え受けた状態で設置部材１４を遊技盤１２に配設することで、前記球導入通路５４の球出口５４ａと球排出通路５２の球入口５２ａとが前後に整合するよう構成される(図７参照)。
【００３１】
前記カバー体５６には、前記位置決め受け部５６ａの左右両側から下端部までの大部分の壁を前方に凹設した設置収容部５６ｂが設けられ、該設置収容部５６ｂに発光装置６０が収納されている。設置収容部５６ｂは、図７に示す如く、設置部材１４を遊技盤１２に取り付けた状態で前記第２装着口３７ｂ内に収容されて、前記始動口飾り４５(装飾板体４５ｂおよび始動口形成部４５ｃ)に対向するよう構成される。発光装置６０は、発光基板６０ａと、該発光基板６０ａの前面に実装した複数のＬＥＤ６０ｂとから構成され、該ＬＥＤ６０ｂを発光することで、始動口飾り４５を後方から照明するようになっている。またケース体５１には、前記球排出通路５２の側方(実施例では右方)に、後述する検出センサユニット８５および検出用金属球８６を収容保持するセンサ設置部６１が設けられている。なお、センサ設置部６１については、検出センサユニット８５および検出用金属球８６を備える不正検出装置８４との関係で後述する。
【００３２】
〔第２始動入賞装置４６について〕
前記第２始動入賞装置４６には、図４に示す如く、開閉体４６ｂ,４６ｂによって常には閉鎖される第２始動口４６ａが設けられ、該第２始動口４６ａは、所定の開放条件および閉鎖条件(何れも後述)に従って開閉体４６ｂ,４６ｂにより開閉されるよう構成される。第２始動口４６ａに入賞したパチンコ球は遊技盤１２の後方へ送られ、前記設置部材１４に設けた始動口用球通路６３(図１４参照)を流下して下方へ排出されるよう構成される。そして、この始動口用球通路６３に、前記主制御装置３１に接続された第２始動球検出センサ６２が配設されて、前記第２始動口４６ａに入賞したパチンコ球を第２始動球検出センサ６２で検出し得るよう構成されている。
【００３３】
前記第１始動球検出センサ５３または第２始動球検出センサ６２によるパチンコ球の検出(すなわち第１始動口４５ａへの入賞または第２始動口４６ａへの入賞)に伴って、両センサ５３,６２から出力されるパチンコ球の検出信号が、主制御装置３１に入力されるよう構成される。そして、主制御装置３１は、第１始動球検出センサ５３または第２始動球検出センサ６２から検出信号を受けると、大当りを発生するか否か(特別入賞装置４７を開放するか否か)を決定する大当り抽選を行なうと共に、統括制御装置１９に制御信号を出力して、前記図柄表示装置１５に図柄変動演出を行なわせるようになっている。また、主制御装置３１は、第１始動球検出センサ５３または第２始動球検出センサ６２から検出信号を受けると、前記払出制御装置２９に制御信号を出力して、前記球払出装置２８に所定数の賞球を払い出させるよう構成される。
【００３４】
〔特別入賞装置４７について〕
前記特別入賞装置４７は、図４に示す如く、遊技領域３３に臨む横長の特別入賞口(第２入賞口)４７ａが開閉部材４７ｂで常には閉鎖されており、前記第１または第２始動口４５ａ,４６ａへのパチンコ球の入賞を契機とした前記大当り抽選の結果、大当りが発生すると、前記図柄表示装置１５に所定の図柄組み合わせ(例えば同一図柄の３つ揃い等)で図柄が停止表示されると共に、開閉部材４７ｂが開放するよう作動制御されて、特別入賞口４７ａへの入賞により多数の賞球を獲得し得るよう構成されている。特別入賞装置４７の装置本体４７ｃ(図１３,図１８参照)には、前記主制御装置３１に電気的に接続された特別球検出センサ(第２検出手段)６４が設けられている。特別球検出センサ６４がパチンコ球を検出すると、検出信号を主制御装置３１に出力し、主制御装置３１は、前記払出制御装置２９に制御信号を出力して、前記球払出装置２８に多数の賞球を払い出させる。なお、図１６に示すように、特別入賞装置４７の装置本体４７ｃは、遊技盤１２に設けた前記第４装着口３７ｄを介して遊技盤１２の後方に突出している。
【００３５】
前記特別入賞装置４７の装置本体４７ｃには、図１６に示す如く、特別入賞口４７ａに入賞したパチンコ球を後方に案内する案内通路６５が形成されると共に、装置本体４７ｃにおける遊技盤１２の後方に突出する部分に、該案内通路６５に連通する球出口６５ａが下方に開口するように形成されている。そして、球出口６５ａから通出して落下するパチンコ球は、後述する第２球通路７５の受入れ口７６ｃに通入するよう構成される。また前記特別球検出センサ６４は、前記案内通路６５に配設されて、球出口６５ａから通出する前のパチンコ球を検出するよう構成されている。
【００３６】
前記特別入賞装置４７では、前記「大当り」の発生時に行なわれる大当り遊技において、前記特別入賞口４７ａへのパチンコ球の入賞が阻まれる不利な第１状態(特別入賞口４７ａの閉鎖)と、特別入賞口４７ａへのパチンコ球の入賞が許容される第２状態(特別入賞口４７ａの開放)とに変動されるラウンド遊技を繰返すよう構成される。ここで、特別入賞装置４７におけるラウンド遊技とは、不利な第１状態から有利な第２状態に移行し、再び不利な第１状態に移行するまでを云い、大当り遊技において予め決定された継続回数のラウンド遊技が繰返されるようになっている。また、ラウンド遊技において第１状態から第２状態への移行は、第１状態から第２状態へ移行してからの第２状態の継続時間(特別入賞口４７ａの開放時間)、または第２状態での特別入賞口４７ａへのパチンコ球の入賞数(特別球検出センサ６４による設定数のパチンコ球の検出)の何れかが、予め設定された値となったことを条件として行なわれる。
【００３７】
ここで、実施例のパチンコ機１０では、前記大当り遊技以外の遊技が行なわれる遊技状態として、３つの状態が設定されている。すなわち、パチンコ機１０において通常行なわれる通常状態と、該通常状態に較べて大当りの発生確率が高く、かつ前記第２始動入賞装置４６の第２始動口４６ａへの入賞確率が高く設定された確率変動状態と、通常状態に較べて大当りの発生確率が同等で、かつ第２始動入賞装置４６の第２始動口４６ａへの入賞確率が高く設定された時間短縮状態が設定されている。そして、前記第１および第２始動口４５ａ,４６ａへパチンコ球が入賞した際に、前記遊技状態を変更するか否かが前記主制御装置３１で決定される。前記確率変動状態および時間短縮状態は、何れも通常状態よりは遊技者にとって有利な特別遊技状態である。
【００３８】
また、前記球通過ゲート４８は、前記第２経路３３ｂを流下するパチンコ球が通過可能に構成されたものであって、パチンコ球を検出するゲート用球検出センサ６６を備えている(図１３参照)。前記球通過ゲート４８のゲート用球検出センサ６６は、図１８に示す如く、前記主制御装置３１に接続されており、該ゲート用球検出センサ６６の検出に伴って主制御装置３１において前記第２始動入賞装置４６における第２始動口４６ａを開放するか否かの始動口開放抽選が行なわれ、該始動口開放抽選の結果が当選の場合に、第２始動口４６ａを開放するよう第２始動入賞装置４６が駆動制御されるようになっている。すなわち、実施例のパチンコ機１０では、前記球通過ゲート４８のゲート用球検出センサ６６がパチンコ球を検出して行なわれる始動口開放抽選の結果が当選となることが、前記第２始動入賞装置４６の第２始動口４６ａを開放する開放条件とされている。
【００３９】
そして、前記第２始動口４６ａを開放してから所定の閉鎖条件が成立することで、該第２始動口４６ａが閉鎖されるようになっている。ここで、前記第２始動口４６ａを閉鎖する閉鎖条件としては、例えば前記開閉体４６ｂ,４６ｂが入賞許容位置に移動してからの経過時間(第２始動口４６ａの開放時間)や、第２始動球検出センサ６２による設定数のパチンコ球の検出等が挙げられるが、これに限られるものではない。すなわち、パチンコ機１０において入賞口を開閉する開閉式の始動入賞装置に採用される開閉体４６ｂ,４６ｂの開放条件および閉鎖条件に従って、該開閉体４６ｂ,４６ｂを開閉作動するソレノイド(図示せず)が駆動制御される。
【００４０】
〔特定条件について〕
また、実施例のパチンコ機１０では、前記第２始動入賞装置４６の第２始動口４６ａを開放する開放条件および該第２始動口４６ａを閉鎖する閉鎖条件は、遊技状態に応じて設定される。すなわち、遊技状態が前記確率変動状態および時間短縮状態の場合には、遊技状態が通常状態の場合に較べて、前記第２始動入賞装置４６の第２始動口４６ａが開放され易くなるよう前記開放条件や閉鎖条件が設定されて、第２始動口４６ａへの入賞率を高くするよう構成されている。具体的には、実施例では、遊技状態が前記確率変動状態および時間短縮状態の場合には、遊技状態が通常状態の場合に較べて、前記始動口開放抽選の結果が確定するまでの時間が短くなるよう設定されると共に、第２始動口４６ａの１回の開放毎の開放時間を長く設定することで、確率変動状態および時間短縮状態における第２始動口４６ａへの入賞確率を高くしている。例えば、遊技状態が通常状態の場合には、始動口開放抽選の結果が確定するまでの時間が略３０秒で、かつ第２始動口４６ａの開放時間が０．１秒／１回に設定されるのに対し、遊技状態が確率変動状態および時間短縮状態の場合には、始動口開放抽選の結果が確定するまでの時間が略２秒で、かつ第２始動口４６ａの開放時間が２秒／１回に設定されている。
【００４１】
そして、前記第２始動入賞装置４６の第２始動口４６ａを開放するか否かの始動口開放抽選を行なう契機となる球検出を行なうゲート用球検出センサ６６を備える前記球通過ゲート４８を、前記遊技盤１２の右側部に配置したことで、パチンコ球が前記第２経路３３ｂを流下する場合にのみ、該パチンコ球が球通過ゲート４８を通過可能になっている。従って、実施例のパチンコ機１０は、特定の条件が成立した場合(遊技状態が確率変動遊技状態または時間短縮遊技状態となった場合)に、パチンコ球を第２経路３３ｂへ打ち出す「右打ち」を実施することで、第２始動口４６ａへの入賞確率が高い状態である遊技者にとって有利な遊技を享受させ得るよう構成される。また、実施例のパチンコ機１０では、前記遊技盤１２の第２経路３３ｂにおける遊技釘４０の配設数を少なくして、前記大当り状態(特定の条件の成立、特別遊技状態)に際して「右打ち」を実施することで、当該大当り状態で行なわれるラウンド遊技を早く消化して短時間で多くの賞球を獲得し得る有利な遊技を行ない得るよう構成されている。これに対し、特定条件が不成立の場合(遊技状態が通常状態の場合)には、「右打ち」を実施したとしても遊技者に有利な遊技が行なわれない(逆にパチンコ球が早く消費されて遊技者にとっては不利となる)ことから、該特定条件が不成立の場合にはパチンコ球を第１経路３３ａへ打ち出す「左打ち」を実施することで、所定の遊技が行なわれるよう構成されている。このように、遊技者が遊技状態(特定条件の成立・不成立)に応じて前記操作ハンドル２４を操作してパチンコ球の打ち出し位置を変更するよう構成することで、遊技者に能動的な遊技参加を促し、遊技の興趣を高めるようになっている。そして、実施例において特定条件の成立とは、パチンコ球を第２経路３３ｂへ打ち出す「右打ち」を実施するのに適した条件の成立をいうものである。
【００４２】
〔第１普通入賞装置４９について〕
前記第１普通入賞装置４９は、図４に示す如く、複数(実施例では、３つ)の第１普通入賞口４９ａを備え、該第１普通入賞口４９ａに入賞したパチンコ球は遊技盤１２の後方へ送られる。そして、遊技盤１２の後方へ送られたパチンコ球は、設置部材１４に設けた後述する第１球通路部材７３(図６参照)に形成した第１球通路７３ａを流下して下方へ排出されるよう構成される。
【００４３】
〔第２普通入賞装置５０について〕
前記第２普通入賞装置５０は、図４および図１５に示す如く、遊技領域３３(第２経路３３ｂ)に常に開放する第１入賞口としての第２普通入賞口(普通入賞口)５０ａと、該第２普通入賞口５０ａに通入したパチンコ球を遊技盤１２の後方へ送る樋部５０ｂとを備え、該樋部５０ｂは前記第７装着口３７ｇの後端で開口している。そして、樋部５０ｂの後端の出口５０ｃから通出したパチンコ球は、前記設置部材１４に設けた後述する第２球通路部材７６の第２球通路７５を流下して下方へ排出されるよう構成される。
【００４４】
〔設置部材１４について〕
図６に示すように、前記設置部材１４は、前記遊技盤１２に対向する略矩形状の対向面部６７と、該対向面部６７の周縁部から前方に延出する外周壁部６８とから前方に開放する箱状に形成され、全体が透明の部材で構成されている。前記外周壁部６８の前端部には、設置部材１４の開口外側へ延出する設置固定部６９が複数形成されている。そして、設置固定部６９を遊技盤１２の裏面に当接した状態で、各設置固定部６９を遊技盤１２にネジ止めすることで、設置部材１４が遊技盤１２に着脱自在に取り付けられる。設置部材１４を遊技盤１２に取り付けた状態では、該遊技盤１２および設置部材１４の間に所要の設置スペースが画成される。設置部材１４には、遊技状態に合わせて発光演出や可動演出を行なう複数の演出装置７０が配設されており、設置部材１４を遊技盤１２に取り付けた状態で、これら演出装置７０が設置スペースに臨むようになっている。
【００４５】
前記設置部材１４の対向面部６７には、前記枠状装飾体４１の窓口４１ａと前後に整列する位置に、略矩形状の開口部１４ａが前後に開口するよう開設されると共に、該対向面部６７の裏側に前記図柄表示装置１５が着脱自在に取付けられて、該開口部１４ａを介して図柄表示装置１５の表示部１５ａが遊技盤１２の前側に臨むようになっている。なお、開口部１４ａの下側の対向面部６７については、特に下対向面部６７ａとして区別して指称する場合もある。
【００４６】
前記図柄表示装置１５の裏側には、パチンコ機１０の遊技演出を統括的に制御する統括制御装置１９が配設される(図３参照)。図１８に示すように、統括制御装置１９は、前記図柄表示装置１５、ランプ装置１８およびスピーカ２２に電気的に接続されており、該統括制御装置１９から出力される演出制御信号に基づいて、各種装置１５,１８,２２が作動制御されるようになっている。また、統括制御装置１９には、前記各演出装置７０が電気的に接続されており、該統括制御装置１９により各演出装置７０の演出動作が制御される。対向面部６７の裏側には、図柄表示装置１５の下側に、前記主制御装置３１が着脱自在に配設される。主制御装置３１は、パチンコ機１０全体の作動を制御するものであって、図１８に示す如く、前記第１始動球検出センサ５３や第２始動球検出センサ６２、統括制御装置１９等、各種装置と電気的に接続されている。また、主制御装置３１は、後述する不正検出装置８４や磁気センサ７９,８１からの出力信号に基づいて、不正行為の発生を判定する。
【００４７】
〔ケース設置部７２について〕
図６,図１１に示すように、前記開口部１４ａより下側の下対向面部６７ａの前側中央部には、前記第１始動入賞装置４４のケース体５１が着脱自在に配設されるケース設置部７２が設けられる。このケース設置部７２には、複数(実施例では３つ)の取着柱７２ａが上下および左右に離間して突設され、各取着柱７２ａの前端部を、ケース体５１(ベース体５５)に形成した対応の受け部５５ｃに夫々嵌合したもとで、各受け部５５ｃの通孔を介して取着柱７２ａにネジを螺挿することで、ケース体５１がケース設置部７２(設置部材１４)に位置決め固定される。そして、設置部材１４を遊技盤１２に取り付けた状態で、ケース体５１の前端面が、遊技盤１２の裏面に近接するよう構成される(図７参照)。
【００４８】
〔第１球通路７３ａについて〕
前記下対向面部６７ａには、図６に示す如く、前記ケース設置部７２の左方に、前記第１普通入賞装置４９の第１普通入賞口４９ａに入賞したパチンコ球を機外に排出する第１球通路７３ａが形成された第１球通路部材７３が配設されている。第１球通路７３ａは、前記３つの第１普通入賞口４９ａの夫々に連通する分岐前通路と、これら分岐前通路が合流する合流通路とからなり、合流通路の下流端に、パチンコ球を機外に排出する出口７３ｂが形成されている。また第１球通路部材７３には、前記合流通路に対応する位置に、合流通路(第１球通路７３ａ)を流通するパチンコ球を検出する第１普通球検出センサ７４が着脱自在に取り付けられる。第１普通球検出センサ７４は、図１８に示す如く、前記主制御装置３１に電気的に接続され、第１普通球検出センサ７４がパチンコ球を検出すると、検出信号が主制御装置３１に出力されるようになっている。そして、主制御装置３１は、第１普通球検出センサ７４から検出信号が入力されると、前記払出制御装置２９に制御信号を出力し、球払出装置２８に所定数の賞球を払い出させるよう構成される。
【００４９】
〔第２球通路７５について〕
前記下対向面部６７ａには、図６および図１４に示す如く、前記ケース設置部７２の右方に、前記第２普通入賞装置５０の第２普通入賞口５０ａに入賞したパチンコ球を機外に排出する第２球通路(球通路)７５が形成された第２球通路部材７６が配設されている。第２球通路部材７６の上端部には、前方に向けて開口する入口７６ａが形成され、該入口７６ａが、第２普通入賞装置５０の出口５０ｃに連通するよう構成される。第２球通路７５は、図１７に示す如く、上端部で入口７６ａに連通して略鉛直下方に延在する第１縦通路部７５ａと、該第１縦通路部７５ａの下流端に接続して左方に向けて斜め下方に延在する傾斜通路部７５ｂと、該傾斜通路部７５ｂの下流端に接続して略鉛直下方に延在する第２縦通路部７５ｃとから構成され、該第２縦通路部７５ｃの下流端に出口７６ｂが形成され、第２球通路７５を流通するパチンコ球は、出口７６ｂから機外に排出されるよう構成される。
【００５０】
前記第１縦通路部７５ａには、第２普通入賞装置５０の第２普通入賞口５０ａに入賞して第２球通路７５を流通するパチンコ球を検出する第２普通球検出センサ(第１検出手段)７７が着脱自在に取り付けられる。第２普通球検出センサ７７は、図１８に示す如く、前記主制御装置３１に電気的に接続され、第２普通球検出センサ７７がパチンコ球を検出すると、検出信号が主制御装置３１に出力されるようになっている。そして、主制御装置３１は、第２普通球検出センサ７７から検出信号が入力されると、前記払出制御装置２９に制御信号を出力し、球払出装置２８に所定数の賞球を払い出させるよう構成される。
【００５１】
前記傾斜通路部７５ｂと第２縦通路部７５ｃとの接続部には、上方に向けて開口する受入れ口７６ｃが形成され、該受入れ口７６ｃは、前記特別入賞装置４７の球出口６５ａの直下に対向している(図１６,図１７参照)。すなわち、球出口６５ａから通出して落下するパチンコ球は、受入れ口７６ｃから第２球通路７５に通入するよう構成される。また受入れ口７６ｃの開口寸法は、特別入賞装置４７の球出口６５ａの開口寸法より大きく設定されており、平面視において受入れ口７６ｃの内側に球出口６５ａが臨むよう構成されて、球出口６５ａから通出されたパチンコ球を受入れ口７６ｃに確実に通入し得るようになっている。なお、受入れ口７６ｃを画成する前壁の内面は、前側から後側に向かうにつれて後方に変位する傾斜案内面７６ｄとされ、受入れ口７６ｃから通入したパチンコ球を傾斜案内面７６ｄで前記第２縦通路部７５ｃとの連通部に向けてスムーズに案内し得るよう構成される。
【００５２】
〔磁気センサ７９,８１について〕
前記設置部材１４における開口部１４ａより左側の対向面部６７に、前記枠状装飾体４１の球導入部４３に近接する裏側位置に、第１センサ保持部(図示せず)が設けられ、該第１センサ保持部に、第１磁気センサ７９が着脱自在に配設される。また、前記第２通路部材７６の上端(入口７６ａの上方)に、第２センサ保持部８０が設けられ、該第２センサ保持部８０に、第２磁気センサ８１が着脱自在に配設される。第１および第２磁気センサ７９,８１は、磁石等から発せられる磁気を検出するものであって、遊技盤１２に磁石等を近付けて遊技領域３３を流下するパチンコ球を誘導する不正行為(以下、不正磁気行為という)を検出するものである。両磁気センサ７９,８１は、図１８に示す如く、前記主制御装置３１に電気的に接続され、各磁気センサ７９,８１が磁気を検出した際に出力される検出信号(以下、磁気検出信号という)は、主制御装置３１に入力される。
【００５３】
〔電波による不正行為について〕
ここで、前述した２つの始動球検出センサ５３,６２や特別球検出センサ６４は、いわゆる誘導式近接スイッチであって、実施例のパチンコ機１０では、何れも同一のセンサ(以後、これらセンサ５３,６２,６４を単に球検出センサＤという場合がある)が採用されている。図１９(ａ)に示すように、球検出センサＤは、発振回路等を備えたセンサ本体８２とコイルが設けられてパチンコ球が通過可能な球通過口８３とを基本構成としている。図１９(ｂ)に示す如く、球検出センサＤは、パチンコ球を検出していない状態(パチンコ球が球通過口８３を通過していない状態)では、発振回路が発振して、高レベルの信号(以下、ハイレベル信号という)を出力するように設定されている。一方、球検出センサＤは、パチンコ球を検出している状態(パチンコ球が球通過口８３を通過している間)では、発振回路の発振が停止または減衰して、低レベルの信号(以下、ローレベル信号という)を出力するように設定されている。そして、主制御装置３１は、球検出センサＤからの出力信号がハイレベル信号からローレベル信号に切り換わったときにパチンコ球を１カウントして、前記払出制御装置２９を制御して球払出装置２８に賞球を払い出させる。
【００５４】
ところが、この球検出センサＤに電波を放射して、該球検出センサＤの出力信号を強制的に変更する不正行為(以下、不正電波行為という)が行なわれることがある。一般的に、この不正電波行為は、図８に示す如く、不正行為者が遊技盤１２の斜め下方に電波発生器Ｅを隠し持ち、第１および第２始動入賞装置４４,４６や特別入賞装置４７等が設けられる遊技盤１２の下部へ向けて電波を電波発生器Ｅから放射して行なわれる。この電波発生器Ｅから放射される電波を、パチンコ球が球通過口８３を通過する間に球検出センサＤが浴びると、該球検出センサＤは、断続的な発振があったと誤検出してしまう。その結果、図１９(ｂ)に示すように、球検出センサＤは、ローレベル信号およびハイレベル信号を繰り返し出力し、前記主制御装置３１は、ハイレベル信号からローレベル信号に切り換わる度にパチンコ球をカウントすることとなる。そして、主制御装置３１は、１個のパチンコ球が球通過口８３を通過したのにも拘わらず、複数個分のカウントをして、多くの賞球を払い出したり、大当り抽選が行なわれてしまう虞がある。そこで、実施例のパチンコ機１０では、このような不正電波行為を検出するべく、前記第１始動入賞装置４４に不正検出装置８４が設置されている。
【００５５】
〔不正検出装置８４について〕
図１１,図１２に示すように、前記不正検出装置８４は、検出センサユニット(状態変化手段)８５と、検出用金属球(状態維持手段)８６と、これら検出センサユニット８５および検出用金属球８６を収容した前記ケース体５１とから基本的に構成されている。すなわち、実施例の不正検出装置８４は、前記第１始動球検出センサ５３が配設されるケース体５１を、検出センサユニット８５および検出用金属球８６を収容するケース体として兼用している。
【００５６】
前記検出センサユニット８５は、矩形状のセンサ装置本体８７と、貫通孔が画成された円筒状の検出口(球通過口)８７ａとから基本的に構成され、実施例では、前述した第１および第２始動入賞装置４４,４６や特別入賞装置４７等に設けられる球検出センサＤと同一のものが採用されている。前記検出口８７ａの開口円の直径は、前記検出用金属球８６の直径より僅かに大きく設定されている(図１０参照)。前記検出口８７ａには、開口縁に沿って検出コイル８８が巻装されており、該検出コイル８８により検出口８７ａの周囲に磁界を発生させるようになっている。図２０に示すように、前記センサ装置本体８７には、発振回路Ｆ、発振検出回路Ｇおよび出力回路Ｈが形成されている。図２１(ａ)に示すように、前記発振回路Ｆは、検出口８７ａの磁界中に磁性体(検出用金属球８６)が存在しない状態で、高周波(例えば、１ＭＨｚ)で発振するようになっている。また、図２１(ｂ)に示すように、前記検出口８７ａの磁界中に磁性体(検出用金属球８６)が存在すると、発振回路Ｆは、発振を停止または減衰させるようになっている。実施例の発振回路Ｆは、検出口８７ａに磁性体(検出用金属球８６)が存在した状態で、発振を停止させるように設定されている。
【００５７】
前記発振検出回路Ｇは、前記発振回路Ｆの発振状態を検出して、当該発振状態に応じた信号を出力するものである。図２１(ａ)に示すように、発振検出回路Ｇは、発振回路Ｆの発振を検出すると発振検出信号を前記出力回路Ｈに出力すると共に、図２１(ｂ)に示すように、発振回路Ｆが発振を停止または減衰(実施例では、発振の停止)を検出すると出力回路Ｈに発振停止検出信号を出力するよう構成される。すなわち、検出センサユニット８５は、磁性体の有無により、発振検出回路Ｇが発振を検出した発振検出状態(第１状態)と、発振検出回路Ｇが発振の停止を検出した発振非検出状態(第２状態)とに状態変化可能に構成されている。
【００５８】
前記出力回路Ｈは、前記発振検出回路Ｇから発振検出信号が入力されると、前記ハイレベル信号を出力し、該発振検出回路Ｇから発振停止検出信号が入力されると、前記ローレベル信号を出力するようになっている。なお、図２１(ｂ)に示すように、ローレベル信号は、０より僅かに大きな値となっている。前記出力回路Ｈは、図示しない中継基板を介して前記主制御装置３１に電気的に接続されており、出力回路Ｈから出力されたハイレベル信号およびローレベル信号は、主制御装置３１に入力される。前記検出用金属球８６は、前記発振回路Ｆの発振を停止させて検出センサユニット８５を発振非検出状態に維持する(状態変化手段を第２状態に維持する)ものである。実施例では、検出用金属球８６として、磁性体であるパチンコ球が用いられている。後述するように、検出用金属球８６は、検出口８７ａ内に位置した状態でケース体５１に収容される(図１０参照)。
【００５９】
すなわち、実施例の不正検出装置８４は、前記不正電波行為が行なわれていない正常時では、検出用金属球８６により発振回路Ｆの発振が停止されて、検出センサユニット８５は、発振非検出状態に維持される。従って、図２２に示すように、発振検出回路Ｇは、発振停止検出信号を出力し、出力回路Ｈからローレベル信号が出力されるので、前記主制御装置３１に対して常にローレベル信号が入力される。一方、検出センサユニット８５が発振非検出状態にある場合において、前記電波発生器Ｅから電波が検出センサユニット８５に放射されると、図２３に示すように、発振回路Ｆは発振を停止しているのにも拘わらず、電波によって断続的な発振が強制的に生起される。従って、不正電波行為が行なわれると、発振検出回路Ｇが断続的な発振を検出して、発振検出信号および発振停止検出信号を交互に出力するようになっている。これにより、図２２に示すように、前記出力回路Ｈは、ハイレベル信号およびローレベル信号を主制御装置３１に交互に出力する。なお、実施例に係る不正検出装置８４では、検出センサユニット８５における電波の検出範囲が、図２４に示す如く、前記検出口８７ａの開口方向側(図２４では上下方向)が大きくなっている。すなわち、検出センサユニット８５は、検出口８７ａの開口方向から放射される電波に反応し易い構成となっている。
【００６０】
〔ケース体５１のセンサ設置部６１について〕
前記ケース体５１には、前記球排出通路５２の側方(実施例では右方)に、前記検出センサユニット８５および検出用金属球８６を収納保持するセンサ設置部６１が設けられる。センサ設置部６１は、ベース体５５に設けた後設置部８９と、カバー体５６に設けた前設置部９０とから構成され、ベース体５５にカバー体５６を取り付けることで、前後の設置部８９,９０間に検出センサユニット８５および検出用金属球８６が位置決め保持されるよう構成される。後設置部８９は、図１１に示す如く、左右方向に離間する一対の側壁８９ａ,８９ａと、両側壁８９ａ,８９ａの後端縁間に設けられて、上側から下側に向かうにつれて後方傾斜する後壁８９ｂとにより前方に開口するセンサ収容部８９ｃが画成される。また後壁８９ｂには、左右の側壁８９ａ,８９ａに沿ってセンサ収容部８９ｃに突出する規制部８９ｄ,８９ｄが突設され、該規制部８９ｄの上面は、後側から前側に向かうにつれて下方傾斜している。そして、検出センサユニット８５におけるセンサ装置本体８７の長手方向一端(配線の接続端)を規制部８９ｄ,８９ｄに当接支持すると共に、該センサ装置本体８７の後面を後壁８９ｂに当接支持することで、該センサ装置本体８７は、上側から下側に向かうにつれて後方傾斜する姿勢で支持される。また、後設置部８９の後壁８９ｂには、センサ装置本体８７の検出口８７ａに対応する位置に、後方に向けて凹む半球状の球受部８９ｅが形成されている。
【００６１】
前記前設置部９０は、図１２に示す如く、前記後設置部８９における側壁８９ａ,８９ａの内側に臨む間隔で左右方向に離間する一対の第１支持部９０ａ,９０ａが、後方に向けて突設されており、各第１支持部９０ａの後端面は、前記後壁８９ｂと平行に形成されている。そして、ベース体５５にカバー体５６を組み付けた状態で、図１０に示す如く、後設置部８９のセンサ収容部８９ｃに収容された検出センサユニット８５におけるセンサ装置本体８７の前面に第１支持部９０ａ,９０ａが当接して、該検出センサユニット８５を、上側から下側に向かうにつれて後方傾斜する姿勢で位置決めするよう構成される。すなわち、ケース体５１を配設した設置部材１４を遊技盤１２に取り付けた状態で、検出センサユニット８５は、遊技盤１２の盤面に対し所定角度(実施例では約６０°)で後方傾斜する姿勢(検出口８７ａの開口方向が斜め下向きとなる姿勢)となるよう構成される(図８参照)。また、ケース体５１における第１始動球検出センサ５３と検出センサユニット８５との位置関係は、第１始動球検出センサ５３の右側方において、検出センサユニット８５におけるセンサ装置本体８７の前端の位置が、前後方向において第１始動球検出センサ５３の前端と略同一位置に位置するよう設定される。更に、センサ装置本体８７の検出口８７ａは、正面視において第１始動球検出センサ５３の配設位置より上方でかつ、平面視において両者の検出口５３ａ,８７ａが左右方向に略整列するように設定されている。
【００６２】
前記前設置部９０は、図１１に示す如く、両第１支持部９０ａ,９０ａの間の壁面を後方に凹ませることで、両第１支持部９０ａ,９０ａ間に第２支持部９０ｂが設けられる。この第２支持部９０ｂは、第１支持部９０ａ,９０ａの後端面から所定長さだけ前側に位置すると共に、該第２支持部９０ｂの後端面は、第１支持部９０ａの後端面と平行に延在するよう構成される。そして、ベース体５５にカバー体５６を組み付けた状態で、検出センサユニット８５の検出口８７ａに位置する検出用金属球８６を、該検出口８７ａ内に位置するように第２支持部９０ｂで支持するよう構成される(図１０参照)。また、ベース体５５およびカバー体５６を組み付けた状態で、前記球受部８９ｅと第２支持部９０ｂとで支持された検出用金属球８６は、センサ設置部６１にガタつくことなく保持されると共に、該検出用金属球８６の中心が検出口８７ａにおける開口方向の中央部と略一致するよう位置決めされる。なお、カバー体５６における第２支持部９０ｂより上側の壁裏面に、支持突片９０ｃが設けられる。この支持突片９０ｃの下面は、前記規制部８９ｄの上面と平行に延在するよう形成され、ベース体５５にカバー体５６を組み付けた際に、該支持突片９０ｃの下面がセンサ装置本体８７の上端に当接し、該センサ装置本体８７を前記規制部８９ｄ,８９ｄとで挟んで上下方向の移動を規制するよう構成される。
【００６３】
前記ケース体５１が設置部材１４のケース設置部７２に取り付けられた状態では、前記検出センサユニット８５は、遊技盤１２の下部後方において、前記第１始動入賞装置４４、第２始動入賞装置４６および特別入賞装置４７に近接して位置することとなる(図４参照)。また、検出センサユニット８５は、上側から下側に向かうにつれて後方傾斜した姿勢でケース体５１内に収容されているから、図８に示すように、前記検出口８７ａの開口方向が後側から前側に向けて下方傾斜する方向となる。すなわち、検出口８７ａの開口方向を遊技盤１２の前側下方へ向けて指向させることで、遊技盤１２の前側下方にセットした電波発生器Ｅから放射される不正電波を捉え易くしている。なお、検出センサユニット８５は、図示しないが、該センサユニット８５に接続する配線がケース体５１の裏側に引き出されてから前記設置部材１４の裏側に引き回し、該設置部材１４の裏側に配設した中継基板に接続してある。
【００６４】
〔主制御装置３１の不正判定について〕
前述のように、前記主制御装置３１は、正常時(発振非検出状態)には、不正検出装置８４からローレベル信号が入力される(図２２参照)。また、不正電波行為により検出センサユニット８５が発振検出状態に状態変化されると、出力回路Ｈからハイレベル信号が入力される。そして、主制御装置３１は、不正検出装置８４からの信号がローレベル信号からハイレベル信号に切り換わったときに、不正電波行為が発生したと判定するようになっている(図２２参照)。すなわち、検出用金属球８６により発振非検出状態に維持されている筈の検出センサユニット８５が発振検出状態に状態変化されると、主制御装置３１は不正電波行為を検出する。
【００６５】
ここで、不正行為者により検出センサユニット８５から導出する配線(図示せず)が切断されたり、検出センサユニット８５から引き抜かれたりした場合(以下、断線行為という)、図２２に示すように、出力回路Ｈから信号が出力されなくなる(すなわち、信号が０となる)。そこで、主制御装置３１は、前記断線行為により、出力回路Ｈからの出力がなくなったときに、断線行為が発生したと判定するよう設定されている。また、不正行為者が検出センサユニット８５から検出用金属球８６を抜き取った場合(以下、球抜行為という)、発振回路Ｆは発振して、前記検出センサユニット８５が発振検出状態に維持される。このため、前記電波発生器Ｅからの電波を受けても発振回路Ｆの発振は継続されるから、図２２に示すように、出力回路Ｈからハイレベル信号が出力され続ける。すなわち、電波を受けても出力回路Ｈから出力される信号が切り換わらなくなるから、不正電波行為を検出し得なくなってしまう。そこで、主制御装置３１は、前記球抜行為により、出力回路Ｈからの出力がローレベル信号からハイレベル信号に切り換わったときに、球抜行為が発生したと判定するようになっている。なお、不正磁気行為については、前記第１,第２磁気センサ７９,８１から前記磁気検出信号が入力されたときに、主制御装置３１が不正磁気行為の発生を判定する。
【００６６】
〔不正判定時の制御構成について〕
次に、不正判定時における主制御装置３１の制御構成について、以下説明する。前記主制御装置３１は、前記断線行為および球抜行為を含む不正電波行為や不正磁気行為の発生を検出すると、これら不正行為の発生を報知する制御を行なう。すなわち、主制御装置３１は、前記統括制御装置１９に制御信号を出力して前記図柄表示装置１５やランプ装置１８、スピーカ２２で不正行為の発生を報知させる。ここで、図２５に示すように、実施例に係るパチンコ機１０では、不正電波行為(断線行為および球抜行為を含む)および不正磁気行為で、図柄表示装置１５、ランプ装置１８およびスピーカ２２での作動態様が異なっている。従って、主制御装置３１は、発生した不正行為に対応した制御信号を統括制御装置１９に出力するよう構成される。具体的には、不正電波行為が発生した場合には、図柄表示装置１５の表示部１５ａに不正電波行為発生の旨を表示させると共に、スピーカ２２に不正電波行為発生の旨を音声出力させる。更に、前記ランプ装置１８を第１の色(実施例では、緑色)で発光させて、不正電波行為の発生を報知させる。また、不正磁気行為が発生した場合には、図柄表示装置１５の表示部１５ａに不正磁気行為発生の旨を表示させると共に、スピーカ２２に不正磁気行為発生の旨を音声出力させる。更に、ランプ装置１８を第２の色(実施例では、紫色)で発光させて、不正磁気行為の発生を報知する。
【００６７】
図１８に示すように、主制御装置３１は、パチンコ機１０の裏側に設けた外部端子板９１を介して遊技場の管理室等に設置されたホールコンピュータ(報知手段)９２に電気的に接続されている。そして、前記不正電波行為および不正磁気行為を検出すると、主制御装置３１は、ホールコンピュータ９２に対してセキュリティー信号を出力するよう設定されている。実施例では、不正電波行為および不正磁気行為の何れの場合も、同一のセキュリティー信号が出力されるようになっている。前記ホールコンピュータ９２では、セキュリティー信号が入力されると、不正行為の発生を該ホールコンピュータ９２の図示しないディスプレイ等に表示させて、管理者等に不正行為の発生を報知させるようになっている。ここで、何れの不正行為が発生しても、同一のセキュリティー信号がホールコンピュータ９２に入力されるので、前記ディスプレイでの表示内容は同一となる。但し、図柄表示装置１５やランプ装置１８、スピーカ２２における作動態様は、不正電波行為および不正磁気行為で異なっていることから、何れの不正行為が発生したかを判別することは可能である。
【００６８】
〔実施例の作用〕
次に、前述のように構成された実施例に係るパチンコ機１０の作用につき説明する。
【００６９】
前記中枠１３の前面側に設けられた前記操作ハンドル２４を遊技者が回転操作すると、前記打球発射装置２３から発射されたパチンコ球が前記遊技盤１２に設けた案内レール３２により画成された発射通路３２ａを介して遊技領域３３内に打ち出される。このとき、前記操作ハンドル２４の回動量に応じてパチンコ球の打ち出し位置が変化し、打ち出し位置に応じて遊技領域３３の第１経路３３ａまたは第２経路３３ｂをパチンコ球が流下する。前記特定条件が成立していない状態(大当り状態、確率変動状態、時間短縮状態となっていない状態)では、遊技者は第１経路３３ａを流下する「左打ち」となるようパチンコ球を打ち出す。
【００７０】
前記第１経路３３ａを流下するパチンコ球が前記球導入部４３に通入すると、該パチンコ球は球導入部４３から前記ステージ４２に通出される。このパチンコ球は、ステージ４２上を左右に転動した後に遊技領域３３に排出される。前記第１始動入賞装置４４の第１始動口４５ａにパチンコ球が入賞すると、該パチンコ球は球導入通路５４を後方へ案内されて前記ケース体５１に形成した球排出通路５２に通入し、最終的に機外に排出される。球排出通路５２を流通するパチンコ球は、該通路５２を画成する前記前壁５５ｂの傾斜や蓋部材５７の突条５７ａおよび突片５５ｅの作用によって減勢され、スムーズな排出が達成される。
【００７１】
また、球排出通路５２を流通するパチンコ球が前記第１始動球検出センサ５３で検出されると、前記主制御装置３１の制御に基づいて前記図柄表示装置１５での図柄変動演出が開始され、図柄変動演出の結果、図柄表示装置１５の表示部１５ａに所定の図柄組み合わせが表示されると大当りが発生する。大当りが発生すると、図柄表示装置１５に表示された図柄組み合わせに応じて、前記遊技盤１２に設けられた特別入賞装置４７の特別入賞口４７ａが開放されると共に、前記主制御装置３１の制御に基づいて図柄表示装置１５において大当り演出が行なわれる。なお、主制御装置３１は、第１始動球検出センサ５３から検出信号を受けると、前記払出制御装置２９に制御信号を出力して、前記球払出装置２８に所定数の賞球を払い出させる。
【００７２】
前記パチンコ機１０では、各種遊技状態に応じて、前記各種演出装置７０が主制御装置３１により作動制御されて、動作および光による演出により遊技の興趣が高められる。また、前記第１始動入賞装置４４に配設した発光装置６０のＬＥＤ６０ｂを発光すると、該ＬＥＤ６０ｂの光は、前記始動口飾り４５の装飾板体４５ｂや始動口形成部４５ｃに裏側から照射される。第１始動入賞装置４４は、パチンコ球の入賞が前記図柄表示装置１５での図柄変動開始や賞球獲得の契機となることから、第１始動入賞装置４４は、パチンコ機１０に備えられた装置の中でも遊技者の注意が特に強く惹き付けられる。すなわち、前記発光装置６０のＬＥＤ６０ｂを発光することで、遊技者の注目度が高い第１始動入賞装置４４における第１始動口４５ａの周囲を明輝させることができ、演出効果により遊技の興趣を高め得る。
【００７３】
前記第１始動入賞装置４４は、電気部品が配設されない始動口飾り４５と、第１始動球検出センサ５３や発光装置６０等の電気部品を配設したケース体５１を分け、始動口飾り４５を遊技盤１２に取り付ける一方、ケース体５１を設置部材１４に取り付けるよう構成した。従って、始動口飾り４５を遊技盤１２に取り付ける際に、配線が遊技盤１２との間に挟み込まれるのを注意することなく組み付けることができ、作業が容易となる。また、ケース体５１に配設した第１始動球検出センサ５３や発光装置６０から導出する配線は、ケース体５１の裏側に引き出されて設置部材１４に配設した中継基板に接続されているので、該ケース体５１を遊技盤１２に組み付ける際においても、配線が遊技盤１２との間に挟み込まれるのを注意することなく組み付けることができる。すなわち、第１始動入賞装置４４の遊技盤１２に対する組み付け作業が容易となる。
【００７４】
前記始動口飾り４５における球導入通路５４を画成する通路壁４５ｄは、図７に示す如く、遊技盤１２に設置部材１４を組み付けた状態で、ケース体５１に設けた位置決め受け部５６ａで支え受けられる。これにより、球導入通路５４の球出口５４ａとケース体５１に形成した球排出通路５２の球入口５２ａとが整合して連通し、球導入通路５４からのパチンコ球を球排出通路５２へ円滑に通入させてパチンコ球を確実に排出処理し得る。また、図７に示す如く、前記球排出通路５２において球導入通路５４からのパチンコ球を受ける底壁５８の上面に、前記連通口５２ｂに向けて下方傾斜する傾斜案内面５８ａを形成してあるので、前記球入口５２ａから球排出通路５２(水平通路５２ｃ)に通入したパチンコ球を、該傾斜案内面５８ａで連通口５２ｂ、すなわち前記第１始動球検出センサ５３の検出口５３ａに速やかに案内して検出させることができる。これにより、パチンコ球が第１始動口４５ａに入賞してから第１始動球検出センサ５３で検出されるまでの時間が長くなることで生ずる、例えば主制御装置３１で大当り抽選を開始するまでに時間が掛かることで遊技者にとって有利となる遊技状態となるまでの時間が長くなる不都合等の発生を抑制し得る。
【００７５】
前記パチンコ機１０において、特定条件が成立する前記大当りの発生や、確率変動状態や時間短縮状態へ移行した際には、遊技者は前記操作ハンドル２４を回転操作して打球発射装置２３によるパチンコ球の打球力を高め、前記第２経路３３ｂに向けてパチンコ球を打ち出す「右打ち」を行なう。右打ちに際して第２経路３３ｂに打ち出されたパチンコ球は、前記枠状装飾体４１の右側の庇部４１ｃに沿って転動する。第２経路３３ｂを流下するパチンコ球が、前記第２普通入賞装置５０の第２普通入賞口５０ａに入賞すると、該パチンコ球は、図１５に示す如く、樋部５０ｂで案内されて出口５０ｃから第２球通路部材７６に形成した第２球通路７５に通入し、前記出口７６ｂから機外に排出される。第２球通路７５における第１縦通路部７５ａを流通するパチンコ球が第２普通球検出センサ７７で検出されると、該検出信号が前記主制御装置３１に送信され、該主制御装置３１は、前記払出制御装置２９に制御信号を出力して、前記球払出装置２８に所定数の賞球を払い出させる。
【００７６】
前記大当りが発生した大当り遊技中に前記特別入賞口４７ａに入賞したパチンコ球は、図１６に示す如く、特別入賞装置４７の装置本体４７ｃに設けた案内通路６５で後方に案内されて球出口６５ａから通出される。このパチンコ球は、前記第２球通路部材７６に形成した受入れ口７６ｃに向けて落下して通入し、前記第２縦通路部７５ｃを流通して出口７６ｂから機外に排出される。すなわち、特別入賞口４７ａに入賞したパチンコ球を、第２普通入賞口５０ａに入賞したパチンコ球を排出する第２球通路７５に受入れて排出するよう構成したから、特別入賞口４７ａに入賞したパチンコ球を排出するための専用の球通路を設ける必要はなく、遊技盤裏側において球通路を設けるための設置スペースを小さくすることができる。
【００７７】
ここで、遊技盤１２における幅方向中央より右側の領域(第２経路３３ｂ)に始動入賞装置４６、特別入賞装置４７、普通入賞装置５０および球通過ゲート４８等、多数の部品を配設して「右打ち」を行なわせるようにしたパチンコ機１０においては、狭いスペースに多くの部品を配設するために設計の自由度が低くなる。しかるに実施例では、複数の入賞口４７ａ,５０ａに入賞したパチンコ球を排出処理するための球通路を１つで兼用するよう構成して球通路の配設数を低減するようにしたので、多数の部品を偏って配設する場合においても部品の設置スペースを圧迫することなく、設計の自由度を向上することができる。
【００７８】
前記特別入賞口４７ａに入賞したパチンコ球は、前記特別球検出センサ６４で検出され、その検出信号が前記主制御装置３１に送信されると、該主制御装置３１は、前記払出制御装置２９に制御信号を出力して、前記球払出装置２８に所定数の賞球を払い出させる。特別球検出センサ６４は、前記受入れ口７６ｃに通入する前のパチンコ球を検出するよう構成される。また、前記第２普通入賞口５０ａに入賞したパチンコ球を検出する第２普通球検出センサ７７は、図１７に示す如く、第２球通路７５における受入れ口７６ｃより上流側の第１縦通路部７５ａに配設されている。すなわち、特別入賞口４７ａおよび第２普通入賞口５０ａに入賞したパチンコ球を排出処理するための球通路を１つとしても、各入賞口４７ａ,５０ａに入賞したパチンコ球を個別に検出することができ、賞球数等を変更する等、各入賞口５０ａ,４７ａ毎に異なる対応が可能となる。
【００７９】
実施例の第２球通路部材７６は、図１７に示す如く、特別入賞装置４７の球出口６５ａと対向する受入れ口７６ｃを開口形成しただけで、球出口６５ａに連通するための分岐路を該第２球通路部材７６に別途形成したものではないので、第２球通路部材７６の形状が複雑になることもなく、成形は容易である。また、特別入賞装置４７の球出口６５ａに対して下方で対向する受入れ口７６ｃの開口寸法を球出口６５ａより大きく設定しているので、該球出口６５ａから通出されて落下するパチンコ球を受入れ口７６ｃに確実に受入れることができる。更に、受入れ口７６ｃを画成する前壁の内面を、図１６に示す如く、前側から後側に向かうにつれて後方に変位する傾斜案内面７６ｄとして形成してあるので、受入れ口７６ｃに通入したパチンコ球は滞ることなく傾斜案内面７６ｄで第２縦通路部７５ｃとの連通部に向けてスムーズに案内される。
【００８０】
前記第２経路３３ｂを流下するパチンコ球が前記球通過ゲート４８を通過すると、該ゲート４８の前記ゲート用球検出センサ６６で検出される。ゲート用球検出センサ６６の球検出に応じて前記主制御装置３１では、前記第２始動入賞装置４６における第２始動口４６ａを開放するか否かの始動口開放抽選が行なわれ、該始動口開放抽選の結果が当選の場合に、第２始動口４６ａを開放するよう第２始動入賞装置４６が駆動制御される。
【００８１】
前記第２始動口４６ａが開放している間に該第２始動口４６ａにパチンコ球が入賞し、該パチンコ球が前記第２始動球検出センサ６２で検出されると、主制御装置３１は、大当りを発生するか否かを決定する大当り抽選を行なう。なお、大当り遊技中に第２始動口４６ａに入賞したパチンコ球は保留球として記憶され、大当り遊技の終了後に保留球に基づいて大当り抽選が行なわれ、第１始動球検出センサ５３でパチンコ球を検出した場合と同様に、主制御装置３１は、前記図柄表示装置１５での図柄変動演出が開始させる。また主制御装置３１は、第２始動球検出センサ６２から検出信号を受けると、前記払出制御装置２９に制御信号を出力して、前記球払出装置２８に所定数の賞球を払い出させる。
【００８２】
〔不正検出装置８４について〕
次に、前記不正検出装置８４の作用について説明する。先ず始めに、前記検出センサユニット８５および検出用金属球８６をケース体５１に組み付ける際には、前記ベース体５５のセンサ収容部８９ｃに検出センサユニット８５を収容セットし、前記検出口８７ａ内に検出用金属球８６を挿入する。そして、前記カバー体５６の第１支持部９０ａ,９０ａをセンサ収容部８９ｃ内に挿入したもとで、該カバー体５６をベース体５５にネジ止め固定することで、検出センサユニット８５および検出用金属球８６はケース体５１の内部に位置決め保持される。不正検出装置８４は、前記第１始動球検出センサ５３が取り付けられるケース体５１に、検出センサユニット８５および検出用金属球８６を収容して第１始動球検出センサ５３と一体で取り扱うことができるので、両者５３,８５の位置関係を適正に維持することができる。
【００８３】
図１０に示すように、ベース体５５およびカバー体５６を組み付けると、検出センサユニット８５は、左右方向両側の移動が側壁８９ａ,８９ａで規制された状態で、後壁８９ｂおよび第１支持部９０ａ,９０ａにより前後から挟持され、かつ規制部８９ｄ,８９ｄおよび支持突片９０ｃにより上下から挟持された状態で位置決め保持される。これにより、検出センサユニット８５は、センサ設置部６１にガタつくことなく保持される。更に、検出口８７ａ内にセットした検出用金属球８６に対して、球受部８９ｅおよび第２支持部９０ｂが当接するから、該検出用金属球８６は、検出口８７ａ内の開口方向の略中央位置に保持される。すなわち、検出用金属球８６を検出コイル８８の誘導磁界内に正確に位置させることができ、検出センサユニット８５を発振非検出状態に確実に維持させることが可能となる。
【００８４】
前記ベース体５５およびカバー体５６を組み付けるだけで、検出センサユニット８５および検出用金属球８６の適切な位置関係が規定されるから、両者の位置関係を確保するための慎重な作業を要することなく、組み付け作業を極めて効率的にすることができる。また、検出センサユニット８５および検出用金属球８６を適切な位置関係で保持するための複雑な構造を要しないから、コストを低廉にし得る。しかも、球体の検出用金属球８６を採用することで、該検出用金属球８６の姿勢を考慮することなく検出口８７ａ内に位置させればよく、検出用金属球８６の組み付けが簡単となる。このように、実施例では、検出センサユニット８５として、既存の検出センサＤと同一のものを採用し、検出用金属球８６としてのパチンコ球により検出センサユニット８５を発振非検出状態に維持する構成とした。従って、検出センサユニット８５や検出用金属球８６を新たに開発、製造する必要がなく、コストを低廉にし得る。
【００８５】
前記ケース体５１を設置部材１４のケース設置部７２に、複数の取付柱７２ａを介して位置決め固定したもとで、該設置部材１４を遊技盤１２の裏面に取り付ける。この状態で、検出センサユニット８５は、遊技盤１２の下部後方において、前記第１および第２始動入賞装置４４,４６や特別入賞装置４７に近接して位置することとなる(図４参照)。そして、検出センサユニット８５が上側から下側に向けて後方に傾斜した姿勢となるから、該検出センサユニット８５の検出口８７ａの開口方向は、後側から前側に向けて下方傾斜した方向となる。従って、図８に示す如く、遊技盤１２の前側下方から前記第１および第２始動入賞装置４４,４６や特別入賞装置４７に向けて放射された電波を捉え易くして、不正電波行為を確実に検出することが可能となる。しかも、不正検出装置８４は、検出センサユニット８５および検出用金属球８６を取り付けるケース体として、第１始動入賞装置４４の第１始動球検出センサ５３が配設されるケース体５１を兼用しているので、検出センサユニット８５と第１始動球検出センサ５３との位置関係は適正に維持されており、第１始動球検出センサ５３に対する不正行為を確実に検出し得る。
【００８６】
なお、前記ケース体５１に収容された検出センサユニット８５は、遊技盤１２や始動口飾り４５で略隠されて前側から視認し難くなっているので、不正行為者に不正対策が施されていることを覚知されるのを回避し得る。また、検出センサユニット８５の設置箇所が判別し難いから、該検出センサユニット８５の検出範囲を避けるように電波を放射させて、不正電波行為の検出を免れるような行為を抑制することができる。
【００８７】
〔不正行為時の作用について〕
次に、不正電波行為が行なわれた場合の作用について、説明する。なお、不正検出装置８４は、不正電波行為が行なわれていない正常時では、前記検出用金属球８６により検出センサユニット８５が発振非検出状態に維持されて、出力回路Ｈからローレベル信号が出力されている。従って、図２２に示すように、正常時においては、主制御装置３１にローレベル信号が入力され続ける。不正電波行為が発生すると、図２３に示すように、電波により発信検出回路Ｇが断続的な発振を誤検出して、出力回路Ｈは、ローレベル信号およびハイレベル信号を交互に繰り返し出力する。そして、主制御装置３１は、出力回路Ｈからの信号がローレベル信号からハイレベル信号に切り換わったときに、不正電波行為が発生したと判定する。すなわち、実施例の不正検出装置８４によれば、電波により検出センサユニット８５が発振非検出状態から発振検出状態に変化するので、簡単な構造により不正電波行為を極めて容易に検出し得る。そして、実施例では、出力回路Ｈからの出力がローレベル信号からハイレベル信号に切り換わったことで、主制御装置３１が不正電波行為の発生を判定するので、極めて簡単な制御で不正電波行為を検出することができる。従って、主制御装置３１での制御負担を少なくすることができ、誤判定が生ずる可能性も少なくなる。また、検出センサユニット８５に電波を検出するための回路等を別途形成することなく、既存の検出センサＤと同じものを検出センサユニット８５として採用し得るから、不正検出装置８４の製造コストを抑制することができる。
【００８８】
不正電波行為の発生を判定すると、主制御装置３１は、統括制御装置１９に制御信号を出力して、図柄表示装置１５、ランプ装置１８およびスピーカ２２に不正電波行為の発生を報知させる。すなわち、図２５に示すように、図柄表示装置１５は、表示部１５ａに不正電波行為発生の旨を表示させると共に、スピーカ２２が不正電波行為発生の旨を音声出力する。更に、前記ランプ装置１８が第１の色で発光体を発光させて、不正電波行為の発生を遊技場の従業員等に報知させる。このように、不正電波行為が発生すると、直ちに当該不正の発生を図柄表示装置１５等が報知するから、当該不正を遊技場内の従業員等に速やかに知らせることができる。しかも、図柄表示装置１５やスピーカ２２等には、不正電波行為の発生の旨が報知されると共に、ランプ装置１８が不正電波行為に対応した第１の色で発光するから、従業員等は、何れの不正行為が発生したかについても容易に判別することができ、迅速に対応することができる。
【００８９】
更に、前記主制御装置３１は、外部端子板９１を介してホールコンピュータ９２にセキュリティー信号を出力する。セキュリティー信号を受けたホールコンピュータ９２は、ディスプレイに何らかの不正行為が発生した旨を表示させて、管理室の管理者等に報知させる。このように、不正電波行為の発生が判定されると、パチンコ機１０だけでなく、ホールコンピュータ９２にも報知されるので、仮に遊技場の従業員等が不正の発生に気付かなかったとしても、管理室の管理者等に不正の発生を知らせることができる。なお、ホールコンピュータ９２には、同一のセキュリティー信号が入力されるから、前記ディスプレイでの表示内容は何れの不正行為(不正電波行為または不正磁気行為)が生じた場合でも同一となる。しかるに、前述のように、図柄表示装置１５やランプ装置１８、スピーカ２２において不正電波行為である旨が報知されるから、従業員等は、不正電波行為が発生したことを認識することができる。
【００９０】
次に、前記断線行為が行なわれた場合には、図２２に示すように、出力回路Ｈから主制御装置３１に信号が入力されなくなる。出力回路Ｈからの入力がなくなると、主制御装置３１は、断線行為が発生したと判定して、前述した不正電波行為の場合と同じ対応を行なう。すなわち、図柄表示装置１５の表示部１５ａに不正電波行為発生の旨が表示されると共に、スピーカ２２が不正電波行為発生の旨を音声出力する。また、前記ランプ装置１８を第１の色で発光させて、不正電波行為の発生を遊技場の従業員等に報知させる。更に、主制御装置３１は、ホールコンピュータ９２にセキュリティー信号を出力して、ホールコンピュータ９２のディスプレイに何らかの不正行為が発生した旨を表示させる。このように実施例では、断線行為が行なわれた場合にも、当該行為を検出し得るので、検出センサユニット８５の配線を切断して、不正検出装置８４が無効化されるのを防止し得る。
【００９１】
また、前記球抜行為が行なわれた場合には、該検出用金属球８６が検出口８７ａから取り外されることで、前記発振回路Ｆが発振を開始する。従って、発振検出回路Ｇが発振を検出して、検出センサユニット８５が発振検出状態に状態変化する。これにより、図２２に示すように、出力回路Ｈの出力信号はローレベル信号からハイレベル信号に切り換わる。そこで、主制御装置３１は、出力回路Ｈから入力される信号がローレベル信号からハイレベル信号に切り換わったときに、球抜行為が発生したと判定して、前述した不正電波行為の場合と同じ対応を行なって、不正の発生を報知する。このように、実施例では、球抜行為が行なわれた場合においても、当該不正行為を検出し得るので、検出用金属球８６を検出口８７ａから取り外して、不正検出装置８４が無効化されるのを防止することができる。
【００９２】
なお、不正磁気行為が行なわれた場合には、磁石等の磁気を第１磁気センサ７９または第２磁気センサ８１が検出して、検出信号を主制御装置３１に出力する。第１磁気センサ７９または第２磁気センサ８１から検出信号が入力されると、主制御装置３１は、不正磁気行為が発生したと判定して、当該不正行為を図柄表示装置１５等に報知させる。すなわち、主制御装置３１は、統括制御装置１９に制御信号を出力して、図柄表示装置１５、ランプ装置１８およびスピーカ２２に不正磁気行為の発生を報知させる。具体的には、図２５に示すように、図柄表示装置１５の表示部１５ａに不正磁気行為発生の旨を表示させると共に、スピーカ２２に不正磁気行為発生の旨を音声出力させる。更に、前記ランプ装置１８が第２の色で発光体を発光させて、不正磁気行為の発生を遊技場の従業員等に報知させる。このように、不正磁気行為が発生した場合にも、当該不正行為の発生を直ちに従業員等に報知することができる。しかも、図柄表示装置１５やスピーカ２２等の出力内容やランプ装置１８の発光色から不正磁気行為が発生したのを判別し得るから、従業員等は、当該不正磁気行為に素早く対応することができる。なお、主制御装置３１は、不正磁気行為が発生した場合にも、セキュリティー信号をホールコンピュータ９２に出力する。従って、ホールコンピュータ９２のディスプレイに何らかの不正行為が発生した旨が表示されて、管理室の管理者等は、不正行為の発生を知ることができる。
【００９３】
〔変更例〕
なお、前述した実施例は、以下に示す通り、種々の変更が可能である。
(1) 実施例では、第１始動口に入賞したパチンコ球を機外に排出する球排出通路および該パチンコ球を検出する第１始動球検出センサを、設置部材とは別体で構成したケース体に設けるようにしたが、球排出通路および第１始動球検出センサを設置部材に直に設けるようにしてもよい。
(2) 実施例では、始動口飾りを光透過性材料で形成して裏側からの照明により明輝する構成としたが、該始動口飾りは光透過性でなくてもよい。
(3) 実施例では、球排出通路における縦通路に第１始動球検出センサを配設したが、水平通路に検出口を前後方向に向けて立てた姿勢で第１始動球検出センサを配設する構成を採用し得る。
(4) 実施例では、第１始動球検出センサが配設されるケース体に、不正電波行為を検出するための検出センサユニットおよび検出用金属球を配設するよう構成したが、これら検出センサユニットおよび検出用金属球は、別の場所に配設するものであってもよい。
(5) 実施例では、特定の条件の成立時に「右打ち」を実施することで、遊技者にとって有利な遊技を享受させ得るよう構成されたパチンコ機の場合で説明したが、「右打ち」によっても遊技者にとって有利な遊技とならないパチンコ機であってもよい。
(6) 遊技機としては、パチンコ機に限られるものではなく、アレンジボール機やパチンコ球を用いたスロットマシン等、その他各種の遊技機であってもよい。
【符号の説明】
【００９４】
１２  遊技盤
１４  設置部材
１５  図柄表示装置
３３  遊技領域
３７ｂ  第２装着口(装着口)
４４  第１始動入賞装置(始動入賞装置)
４５  始動口飾り
４５ａ  第１始動口(始動口)
４５ｄ  通路壁
５１  ケース体(設置部)
５２  球排出通路
５２ａ  球入口
５２ｂ  通路口
５２ｃ  水平通路
５２ｄ  縦通路
５３  第１始動球検出センサ(球検出センサ)
５６ａ  位置決め受け部
５８  底壁
５８ａ  傾斜案内面
６０  発光装置
【図１】
0005518798.tif 000002
【図２】
0005518798.tif 000003
【図３】
0005518798.tif 000004
【図４】
0005518798.tif 000005
【図５】
0005518798.tif 000006
【図６】
0005518798.tif 000007
【図７】
0005518798.tif 000008
【図８】
0005518798.tif 000009
【図９】
0005518798.tif 000010
【図１０】
0005518798.tif 000011
【図１１】
0005518798.tif 000012
【図１２】
0005518798.tif 000013
【図１３】
0005518798.tif 000014
【図１４】
0005518798.tif 000015
【図１５】
0005518798.tif 000016
【図１６】
0005518798.tif 000017
【図１７】
0005518798.tif 000018
【図１８】
0005518798.tif 000019
【図１９】
0005518798.tif 000020
【図２０】
0005518798.tif 000021
【図２１】
0005518798.tif 000022
【図２２】
0005518798.tif 000023
【図２３】
0005518798.tif 000024
【図２４】
0005518798.tif 000025
【図２５】
0005518798.tif 000026
【図２６】
0005518798.tif 000027